(57)【要約】【課題】箸先が箸底に着かず、また箸の乾燥も早い箸立て及び菜箸立てを得る。【解決手段】細長い垂直体部分を有する一本の箸の途中までしか通さない幅を持つ、複数の開口部からなる、櫛状或いは網状の箸支持機構を、箸先が箸底に届かない状態で箸の落下がとまるように、箸立て内部に取り付け、さらに、箸の乾燥を早めるための通気用開口部を箸立て壁面に設ける。【選択図】　　　　図１
2004033722.tif 000002
【特許請求の範囲】
【請求項１】
針金等、平面図に描くと細い平行線状に描ける形状体を用いて、細長い垂直体部分を有する一本の箸の途中までしか通さない幅を持つ複数の開口部を区画形成した、櫛状あるいは網状の箸支持機構と、前記箸支持機構を、箸立て投入口を通る箸立ての中心線に直角に取り付けた箸立て本体とからなり、更に、前記箸支持機構の各開口部の幅、及び、同機構の取り付け位置と箸立て底面との距離を調整することにより、箸を、箸先を下向きにして箸立てに投入したとき、箸先が箸立ての底面に届いていない状態で、前記箸支持機構により、箸のそれ以上の落下を阻止し、かつ受け止めるようにした箸立て。
【請求項２】
請求項１記載の箸支持機構を、着脱自在の独立した部品とし、箸立て本体側面から差し込んだり、引き出したりできるようにするため、箸立て本体内側に、箸支持機構を支持する枠体又は嵌着する溝体を設け、或いは、箸立て投入口に蓋のように取り付けるようにした請求項１記載の箸立て。
【請求項３】
箸立て本体が筒体である場合において、筒体内部の通気性を良好な状態に保ち、また箸立て内部の洗浄を容易にするため、筒体の側壁に通気用開口部を設けるか、又は筒体をセパレートに配置した請求項１記載の箸立て。
【請求項４】
箸立て本体に底体がない請求項１記載の箸立て。
【発明の詳細な説明】
【０００１】
【発明の属する技術分野】
本発明は、箸立てにおける、箸の衛生的収納構造に関する。
【０００２】
【従来の技術】
従来の箸立てにおいては、箸を清潔に保つため、箸立ての底体を着脱可能にしたもの（例えば、実開平６−７５２７３）、底体と箸立て筒体とを分離配置したもの（例えば、実開平５−８４２６６）、箸立ての四面の側面部が展開状態になるようしたもの（例えば、特開２００１−２４５７７３）がある。
【０００３】
【発明が解決しようとする課題】
従来の箸立てにおいては、いずれも、箸先が箸立ての底体に接触する構造になっているため、衛生上及び清潔感に難点があり、また、底体を常に清潔に維持するための手数がかかるという問題点があった。
【０００４】
本発明は、箸を普通に箸立てに投入しても、箸先が箸立ての底面に届くまでのところで、箸の落下を停止させ、かつ受け止める箸支持機構を備えた、衛生的で清潔感のある箸立てを提供することを目的としている。さらに通気性が良いため箸を早く乾燥させることができ、内部洗浄も簡単な、清潔な箸立てを提供することを目的としている。
【０００５】
【課題を解決するための手段】
上記の目的を達成するために、本発明の箸立てにおいては、針金等、平面図に描くと細い平行線状に描ける形状体（２）を用いて、細長い垂直体部分を有する一本の箸の途中までしか通さない幅を持つ複数の開口部（３）を区画形成した、櫛状あるいは網状の箸支持機構（４）を、箸立ての内側に、箸立て中心線と直角に取り付け、さらに箸支持機構の各開口部の幅及び、同機構の取り付け位置と箸立て底面との距離を調整することにより、箸を箸先を下向きに箸立てに投入したとき、箸先（８）が箸立ての底面に届いていない状態で、箸（７）のそれ以上の落下を阻止し、かつ受け止めるようにしたものである。
【０００６】
また、箸支持機構を、着脱自在の独立した部品とし、箸立て本体の側面から差し込んだり、引き出したりすることができるようにするため、箸立て本体内側に、箸支持機構を支持する枠体（６）又は嵌着する溝体等を設けるか、或いは、箸立て投入口に蓋のように取り付けられるようにすることもできる。
【０００７】
さらに、箸立て本体が筒体である場合においては、通気性を良くし、また内部洗浄に便利なように、筒体側壁に通気用開口部（５）を設けたり、筒体の配置をセパレートにした箸立てを提供することができる。
【０００８】
また、本発明の箸立ては、機能的には箸立て本体に底体が不要であるため、底体のない箸立てを提供することができる。底体が無ければ、ほこりや垢が溜まったり、付いたりする心配もいらない。
【０００９】
【発明の実施の形態】
発明の実施の形態を実施例にもとずき図面を参照して説明する。
図１に示される実施例では、筒状の箸立て本体（１）投入口から約３分の１下の位置に、箸支持機構（４）を取り付けている。箸支持機構は、箸立て投入口に投じられた箸の落下を、予め設定しておいた高さにおいて阻止し、受け止める機構である。本実施例では、箸立て本体の中心線と直角に交わる平面上に、針金（２）を一定の間隔に櫛状に張り巡らせたものである。
【００１０】
一般家庭で使われている、細長い垂直体形状の箸の場合には、各針金間の間隔を５〜６ミリメートルに設定すれば、１００パーセント、箸支持機構としての機能を発揮する。幼児用の箸が混じっていても十分対応できる。また菜箸用の箸立てにも応用できる。
【００１１】
箸支持機構を、箸立て本体内部に取り付ける方法は、本実施例では、本体内壁に設けた枠体（６）の上に独立した箸支持機構を載せた形になっているが、後述する図４の実施例の外にもいろいろと考えられるので、箸立て本体の形状に対応した適切な取り付け方を採用することができる。
【００１２】
水で洗って箸立てに入れられた箸が、早く乾燥するよう、また蒸れることがないよう、本体の適切な場所に通気用開口部（５）を設ける。
【００１３】
図４に示す実施例では、箸支持機構（１２）を、箸立て本体（９）の外側から引き出したり、差し込んだりすることができるようにするため、箸支持機構は、着脱可能な独立した機構となっており、箸立て本体内壁に設けた枠体（１４）に沿って引き出したり、差し込んだりできる。
また、この場合、箸立て本体内壁に沿って、箸支持機構を嵌着する溝体を設けることにより、箸支持機構を引き出したり、差し込んだりできるようにすることもできる。この実施例の箸立ては、箸支持機構や内部を洗浄するのにより便利であり、菜箸用の箸立てに適している。
【００１４】
また、箸投入口の広さを十分に取れば、独立した箸支持機構を、箸投入口から出し入れすることができる。
【００１５】
【発明の効果】
本発明は、以上説明したように構成されているので、以下に記載されるような効果を奏する。
【００１６】
箸は家族の口中に直接に入れるものなので、主婦ならば特に清潔に収納しておきたいと考えているもののひとつである。しかし、箸先が直に接触する箸立て内部の底の洗浄は、忙しい主婦にとっては、日頃気にはしていても、なななかそこまで手が回らないのが現状である。そこで、本発明の、箸先が底に着かない箸立てを用いれば、箸先は常に空中にあり、また洗浄後の箸の乾燥も早い構造になっているので、箸立ての衛生状態に関する主婦の心配の大部分を解消することができ、衛生的かつ清潔感のある箸立てを提供することができる。
【００１７】
また、菜箸も、従来の菜箸立てには底体があるため、菜箸の箸先の衛生上に心配があったが、本発明の箸立ての構造を応用すれば、そのような心配を無くし、衛生的かつ清潔感のある菜箸立てを提供することができる。
【図面の簡単な説明】
【図１】箸立て内部の箸支持機構部分を、破断線を使って見せた斜視図である。
【図２】図１に示す箸立ての平面図である。
【図３】図１に示す箸立てに箸を立てた状態の箸支持機構部分を、破断線を使って見せた斜視図である。
【図４】説明番号「０００６」で説明する箸立ての実施例の斜視図である。
【符号の説明】
１、９　箸立て本体
２、１０　平面図に描くと細い平行線状に描ける形状体
３、１１　複数の開口部
４、１２　箸支持機構
５、１３　通気用開口部
６、１４　枠体
【図１】
2004033722.tif 000003
【図２】
2004033722.tif 000004
【図３】
2004033722.tif 000005
【図４】
2004033722.tif 000006